(57)【特許請求の範囲】
【請求項１】
パイプ端に取り付けられるパイプ端用キャップにおいて、該キャップは、前記パイプ端よりパイプの内部に圧入して嵌合される嵌入部と、前記パイプ端の下方に当接する支持面と、前記パイプ端の外径とほぼ同径の基部と、からなり、前記キャップに、前記支持面の前記パイプ端との当接箇所から前記基部の外周面にかけて開口する凹部を設け、前記凹部の下端面内径側が凹没した凹没部からなる工具受部を形成し、前記凹没部に工具を差し込み押下して前記キャップを取り外すことを特徴とする、パイプ端用キャップ。
【請求項２】
パイプ端に取り付けられるパイプ端用キャップにおいて、該キャップは、前記パイプ端よりパイプの内部に圧入して嵌合される嵌入部と、前記パイプ端の下方に当接する支持面と、前記パイプ端の外径とほぼ同径の基部と、からなり、前記キャップに、前記支持面の前記パイプ端との当接箇所から前記基部の外周面にかけて開口する凹部を設け、前記凹部の下端面が内側が深くなるように傾斜した傾斜面からなる工具受部を形成し、前記傾斜面内方に工具を差し込み押下して前記キャップを取り外すことを特徴とする、パイプ端用キャップ。
【請求項３】
前記凹部が、前記基部の外周に複数箇所に設けられていることを特徴とする、請求項１または２に記載のパイプ端用キャップ。
【発明の詳細な説明】
【０００１】
【発明の属する技術分野】
本発明は、パイプの端部等に装着されるキャップに関する。
【０００２】
【従来の技術】
従来、パイプを用いたテーブルや椅子等の脚であるパイプ切断端部には、床の傷防止や安全性の面から樹脂製のキャップが脚端部に設けられている。このキャップは椅子等の使用中に脱落することのないように、脚端部にかなりきつめに圧入されるのが一般的であり、かつ溶着剤等で取外し不可に固定されるものがある。
【０００３】
近年においては、省資源化によるリサイクルのため、上記テーブルや椅子を廃棄する場合や部品の交換時に、パイプからキャップを取り外し、分別処理したいという要望がある。
【０００４】
そこで、近年の技術ではパイプとキャップを分別処理できるようにした、例えば特許登録第３０５７４８３号公報に開示されているものがある。この発明は、キャップにキャップの内孔に開口する開口部が設けられ、この開口部はドライバー等の刃先を差し込める幅を有している。キャップを取り外す際は、ドライバー等の刃先を開口部から内孔にドライバー等を差し込み、ドライバー等を脚端部にあてることにより、梃子の作用によって脚端部に圧入されているキャップを簡単に取り出すことができるようになっている。
【０００５】
しかし、このキャップは、その内部へ貫通する開口部が設けられており、キャップの製造過程において、開口部からキャップ内部へドライバーの差込孔が設けられた金型は複雑な構造を必要とし、金型製造の手間や時間、費用の面で課題があった。
【０００６】
また、このキャップを簡単に取り外すためには、梃子の作用を用いるためドライバー等が脚端部に当り、脚端部に変形や傷等が残ることがあり、さらにこの構造であると、キャップ本体の強度の面でも問題がある。
【０００７】
【発明が解決しようとしている課題】
本発明のパイプ端用キャップは、テーブルや椅子等の廃棄やリサイクル時に、脚端部に圧入されたキャップをパイプ本体等に傷つけることなく、簡易な工具で簡単に取り外し、部品の分別処理や交換が容易に行え、かつキャップ本体の製造過程で複雑な金型を必要としないパイプ端用キャップを提供することを目的としている。
【０００８】
【課題を解決するための手段】
上記目的を達成するために、本発明のパイプ端用キャップは、パイプ端に取り付けられるパイプ端用キャップにおいて、該キャップは、前記パイプ端よりパイプの内部に圧入して嵌合される嵌入部と、前記パイプ端の下方に当接する支持面と、前記パイプ端の外径とほぼ同径の基部と、からなり、前記キャップに、前記支持面の前記パイプ端との当接箇所から前記基部の外周面にかけて開口する凹部を設け、前記凹部の下端面内径側が凹没した凹没部からなる工具受部を形成し、前記凹没部に工具を差し込み押下して前記キャップを取り外すことを特徴としている。この特徴によれば、前記キャップを、パイプから取り外す場合、ドライバー等の工具を前記開口部から差し込み、工具を工具受部に当てて下方へ力を加えるだけで、圧入されたキャップをパイプの端縁部等を傷つけることがなく、簡単に取り外すことができる。また、キャップ基部の凹部が内孔に連通していない凹構造なので、複雑な金型を必要とせず容易に製造することができる。特にパイプ端とキャップ基部がほぼ同径であるため、段部が表出せず、ほこり等がたまる心配もない。更にドライバー等の工具の先端がしっかりと工具受部の凹没部に固定されることになり、工具の先端に加わる力が効果的に凹没部に集中し、取り外せる。
【００１０】
上記パイプ端用キャップにおいて、パイプ端に取り付けられるパイプ端用キャップにおいて、該キャップは、前記パイプ端よりパイプの内部に圧入して嵌合される嵌入部と、前記パイプ端の下方に当接する支持面と、前記パイプ端の外径とほぼ同径の基部と、からなり、前記キャップに、前記支持面の前記パイプ端との当接箇所から前記基部の外周面にかけて開口する凹部を設け、前記凹部の下端面が内側が深くなるように傾斜した傾斜面からなる工具受部を形成し、前記傾斜面内方に工具を差し込み押下して前記キャップを取り外すことを特徴としている。このようにすれば、キャップをパイプの端部から取り外す時、ドライバー等の工具が、開口部から工具受部へと案内され、工具受部にしっかりと固定されて、安定するため、取り外しが確実になる。
【００１２】
上記パイプ端用キャップにおいて、前記凹部が、前記基部の外周に複数箇所に設けられている。このようにすれば、キャップをパイプの端部から取り外す時、ドライバー等の工具を複数箇所に設けられた凹部へ複数回に分けて、または同時に複数個の工具で力を加えることが可能なため、より簡単にキャップの取り外しが可能になる。
【００１３】
【発明の実施の形態】
以下、本発明の実施例を図面に基づいて説明する。
【００１４】
図１ないし図４に基づいて本発明の第１実施例を説明すると、図１はキャップ１を椅子１３の脚端部３に圧入した斜視図であり、図２にはキャップ１が脚端部３に圧入された状態が示されている。
【００１５】
このキャップ１は、パイプ脚２の脚端部３とほぼ同径の基部１１と、その上部に一体に延出した小径の嵌入部５とから成り、この基部１１と嵌入部５との径の違いから基部１１の上部に支持面８が形成されている。さらにこのキャップ１の前記嵌入部５には、パイプ脚２における脚端部３のパイプ穴内周面に対して若干外方に張出すように縦方向に弾性凸部７が形成され、キャップ１をパイプ穴に圧入した際、容易に抜けないような構造になっている。また、前記した基部１１の上部の支持面８には、基部１１の外周面８’にかけて凹部１０が複数個形成されている。なお凹部１０は１個でもよい。
【００１６】
上記構造のキャップ１がパイプ脚２の脚端部３に嵌入されると、図２に示されるように、嵌入部５がパイプ脚２内に没入するとともに、基部１１とパイプ脚２の脚端部３との径がほぼ同径のため、パイプ端縁４を境界線として段部のないほぼストレートな脚が形成される。この嵌入によって、キャップ１の基部１１の外周面８’に凹部１０が残り、これが後述する工具を差し込む開口部１２となる。なお、この実施例における凹部１０の下端面はほぼ水平な面であり、ここが後述する工具が差し込まれた際の工具受部９になっている。
【００１７】
図３、図４には、脚端部３に圧入されたキャップ１を容易に取り出す工程が示され、まずドライバー等の工具６を前記キャップ１の基部１１に開口する開口部１２から工具受部９へ差し込む。そして、工具６の先端を工具受部９へ当て、図４に示すようにキャップ１を押し下げることによって脚端部３からキャップ１を取り外すことができる。なお工具を押し下げる際に、手またはハンマー等を用い、ドライバー等の工具６の後端を叩くことによって、より簡単にキャップ１を取り外すことが可能である。
【００１８】
図５は本発明の第２実施例を示した図であり、前記第１実施例と相違する点は、基部１１に形成された凹部１０の工具受部９に凹没部１５が設けられている点である。このようにすれば、ドライバー等の工具６の先端がしっかりと工具受部９の凹没部１５に固定されることになり、工具６の先端に加わる力が効果的に凹没部１５に集中し、取り外せる。
【００１９】
図６は本発明の第３実施例を示した図であり、前記第１実施例と相違する点は、基部１１に形成された凹部１０の下端面である工具受部９が、内側が深くなるように傾斜している点である。このように、開口部１２から内側へ傾斜する工具受部９が設けられることによって、工具６が確実に基部１１の中心方向へ案内され、ドライバー等の工具６の先端がしっかりと工具受部９に固定されることになり、工具６の先端に加わる力が効果的に工具受部９に集中し、取り外せる。
【００２０】
図７は本発明の第４実施例を示した図であり、第１実施例と相違する点は、基部１１に形成された凹部１０の下端面である工具受部９に、滑り止めとしての凹凸１４が設けられている点である。このように工具受部９に滑り止め用の凹凸１４が施されていることにより、ドライバー等の工具６先端部の角が凹凸１４に引っかかることにより滑りにくくなり、工具６の先端が工具受部９から外れにくくなっている。また、上記凹凸の深さや目の大きさを変更して摩擦力を変えることが可能であり、パイプやキャップ１の形状や用途等により、状況に応じて適したものを採用すればよい。
【００２１】
第５実施例の図８は本発明の種々の実施適用例を示しており、
（ａ）は基部１１の開口部１２が半円形になっているものであり、この開口部１２から工具受部９にかけて丸みを帯びていることにより、ドライバー等の工具６先端部が、工具受部９のほぼ中心下端に案内され、パイプ脚２からキャップ１を簡単に取り外せることができる。
（ｂ）はパイプ脚２が角形になっており、キャップ１もパイプ脚２に倣って角形の形状を適用したものである。
（ｃ）はパイプ脚２が楕円になっており、キャップ１もパイプ脚２に倣って楕円の形状を適用したものである。
【００２２】
上記実施例において示したように、キャップ１に凹部１０が複数箇所設けられていることにより、ドライバー等の工具６をこれら複数箇所の工具受部９へ当接させ、押し下げ力を加えることにより、脚端部３を傷付けることなく、キャップ１を脚端部３から直線的に取り出すことができる。また、凹部１０は、工具受部９を構成していれば、その形状や大きさ等は限定されるものではなく、図８（ａ）〜（ｃ）に示されるように、種々に変形可能である。
【００２３】
以上のように本発明は、上記実施例に限定されるものではなく、種々の実施形態を採りえる。
【００２４】
【発明の効果】
本発明によれば、次のような効果が得られる。
【００２５】
（ａ）請求項１に記載の発明によれば、前記キャップを、パイプから取り外す場合、ドライバー等の工具を前記開口部から差し込み、工具を工具受部に当てて下方へ力を加えるだけで、圧入されたキャップをパイプの端縁部等を傷つけることがなく、簡単に取り外すことができる。また、キャップ基部の凹部が内孔に連通していない凹構造なので、複雑な金型を必要とせず容易に製造することができる。特にパイプとキャップ基部がほぼ同径であるため、段部が表出せず、ほこり等がたまる心配もない。更にドライバー等の工具の先端がしっかりと工具受部の凹没部に固定されることになり、工具の先端に加わる力が効果的に凹没部に集中し、取り外せる。
【００２７】
（ｂ）請求項２に記載の発明によれば、キャップをパイプの端部から取り外す時、ドライバー等の工具が、開口部から工具受部へと案内され、工具受部にしっかりと固定されて、安定するため、取り外しが確実になる。
【００２９】
（ｃ）請求項３に記載の発明によれば、キャップをパイプの端部から取り外す時、ドライバー等の工具を複数箇所に設けられた凹部へ複数回に分けて、または同時に複数個の工具で力を加えることが可能なため、より簡単にキャップの取り外しが可能になる。
【図面の簡単な説明】
【図１】本発明のキャップを椅子に適用した斜視図である。
【図２】本発明を適用した第１実施例のキャップの斜視図である。
【図３】第１実施例の図２のＡ−Ａ線の断面図である。
【図４】第１実施例の図３のキャップを押し下げ時の断面図である。
【図５】第２実施例のキャップを押し下げ時の断面図である。
【図６】第３実施例のキャップを押し下げ時の断面図である。
【図７】第４実施例の拡大断面図である。
【図８】第５実施例の変形例の斜視図である。
【符号の説明】
１    キャップ
２    パイプ脚（パイプ）
３    脚端部（パイプ端）
４    パイプ端縁
５    嵌入部
６    工具
７    弾性凸部
８    支持面
８’  外周面
９    工具受部
１０  凹部
１１  基部
１２  開口部
１３  椅子
１４  凹凸（滑り止め）
１５  凹没部
【図１】
0004601802.tif 000002
【図２】
0004601802.tif 000003
【図３】
0004601802.tif 000004
【図４】
0004601802.tif 000005
【図５】
0004601802.tif 000006
【図６】
0004601802.tif 000007
【図７】
0004601802.tif 000008
【図８】
0004601802.tif 000009